(57)【要約】  【課題】  グロメットの係止時に節度感が得られるようにする。  【解決手段】  ワイヤハーネスを挿通させる小径部と、該小径部と連続する大径部とを備え、該大径部の開口端側の外周に設けた係止凹部を車体貫通孔の周縁に係止させる弾性体からなるグロメットにおいて、上記大径部の開口端面より上記係止凹部の位置を越えて小径側へと延在する小孔を所定の角度間隔をあけて形成し、該小孔には係止凹部に隣接した小径側の位置に拡径部を設け、該小孔に剛性を有すると共にピンが押し込まれ、該ピンに円錐形状に突起を設け、該突起を上記拡径部に内嵌している。  【選択図】  図１
2005143292.tif 000002
【特許請求の範囲】
【請求項１】
ワイヤハーネスを挿通させる小径部と、該小径部と連続する大径部とを備え、該大径部の開口端側の外周に設けた係止凹部を車体貫通孔の周縁に係止させる弾性体からなるグロメットにおいて、
上記大径部の開口端面より上記係止凹部の位置を越えて小径側へと延在する小孔を所定の角度間隔をあけて形成し、該小孔には係止凹部に隣接した小径側の位置に拡径部を設け、該小孔に剛性を有すると共にピンが押し込まれ、該ピンに円錐形状に突起を設け、該突起を上記拡径部に内嵌しているグロメット。
【請求項２】
上記大径部は、車体装着時に貫通孔内周面に接触する大径部の外周面で大径部の傾斜角度を変えている請求項１に記載のグロメット。
【発明の詳細な説明】
【技術分野】
【０００１】
本発明は、車体の貫通穴にワイヤハーネスを挿通した状態で取り付けるグロメットに関し、詳しくは、グロメットの取付作業性を改善できるようにするものである。
【背景技術】
【０００２】
自動車用のワイヤハーネスでは、図５（Ａ）（Ｂ）に示すように、車体１の貫通穴２を貫通させてワイヤハーネスＷ／Ｈを配索する場合、ゴム製のグロメット３の小径部３ａにワイヤハーネスＷ／Ｈを挿通させ、この状態でグロメット３を室内４側から室外５側に向けて貫通穴２に挿入し、室外側よりグロメット３を引っ張って引き出し、大径部３ｂの外周に設けた係止凹部３ｄを貫通穴２の内縁に係止することにより、グロメット３を車体１の貫通穴２に取り付けている。
【発明の開示】
【発明が解決しようとする課題】
【０００３】
上記グロメット３を車体１の貫通穴２に取り付ける際は、図６（Ａ）のように、小径部３ａは貫通孔２にスムーズに挿入されるが、該小径部３ａに連続する大径部３ｂの円錐状部３ｃが、図６（Ｂ）のように、貫通穴２の内縁に接触する。
このとき、ゴム製の円錐状部３ｃの外周接触部分の摩擦係数が大きいため、室外５側からグロメット３を引っ張って室外５方向へ引き出しているが、その時、大きな引き抜く力を要する。さらに、図６（Ｃ）のように、さらにグロメット３を引っ張ると、弾力に抗して円錐状部３ｃが縮径されるから、引き抜く力もさらに大きくなり、引き抜き作業性が悪くなる。
【０００４】
上記各引き抜き作業性を向上させるために、大径部３ａの円錐状の外周接触部面に潤滑油を塗布する場合もあるが、塗布工程が必要であると共に、潤滑油に埃が付着し易すいと共に、潤滑油が他の部材に付着する問題があり、さらに、人手によるため塗布厚みが一定しない問題もある。
【０００５】
また、グロメット３の装着作業時、円錐状部を押圧しながら引き出した後、図６（Ｄ）のように、大径部３ｂの開口端側に設けた係止凹部３ｄを貫通穴２の内縁に係合して、グロメット３が貫通穴２に取り付けられる。
このとき、引き抜き力が大きく、かつ、グロメット３がゴムからなる弾性体であるため、大径部３ｂの係止凹部３ｄが貫通穴２の内縁に確実に係合したことの節度感が得にくく、取り付けが不完全になることがある。
【０００６】
さらに、通常は、上記のように室内側から挿入したグロメット３を室外側から引っ張って引き出しているが、室外側に引き出し用のスペースが無いときは、グロメット３の大径部３ｂを室内４側から押し込むこともある。その場合、図６（Ｅ）に示すように、大径部３ｂや係止凹部３ｄが変形して貫通穴２の内縁に噛み込み、外周凹部３ｄが貫通穴２の内縁に係合できないことがある。
【０００７】
本発明は、上記問題に鑑みてなされたもので、主として、係合の節度感を得られるようにすることを課題としている。
【課題を解決するための手段】
【０００８】
上記課題を解決するために、本発明は、  ワイヤハーネスを挿通させる小径部と、該小径部と連続する大径部とを備え、該大径部の開口端側の外周に設けた係止凹部を車体貫通孔の周縁に係止させる弾性体からなるグロメットにおいて、
上記大径部の開口端面より上記係止凹部の位置を越えて小径側へと延在する小孔を所定の角度間隔をあけて形成し、該小孔には係止凹部に隣接した小径側の位置に拡径部を設け、該小孔に剛性を有すると共にピンが押し込まれ、該ピンに円錐形状に突起を設け、該突起を上記拡径部に内嵌しているグロメットを提供している。
【０００９】
上記構成とすると、大径部の端面から剛性のピンを小孔に押し込むことにより、グロメットの大径部を押し込みながら車体の貫通穴に挿入する時、剛性のピンの有る部分は変形しにくくなるから、貫通穴の内縁に噛み込まなくなる。
【００１０】
上記のように、小孔には係止凹部に隣接した小径側の位置に拡径部を設け、該小孔に押し込まれる上記ピンに円錐形状の突起を設け、該突起を上記拡径部に内嵌している。
上記構成とすると、大径部の外周凹部が貫通穴の内縁に係合する前までは、ピンの円錐形状の突起により引き抜き力や押し込み力が除々に増加し、係止凹部に貫通孔を係止すると同時に、引き抜きや押し込み力が急激に減少する。よって、係止感をより確実に生じさせることができる。
【００１１】
本発明のグロメットにおいては、上記大径部は、車体装着時に貫通孔内周面に接触する大径部の外周面で大径部の傾斜角度を変えていることが好ましい。
【００１２】
また、上記貫通穴内周面との接触位置から上記係止凹部に至る大径部外周面に厚肉部と薄肉部とが一体成形され、上記厚肉部の外周面に摩擦係数が小さい平滑材が貼着または一体成形されていることが好ましい。
【００１３】
上記構成とすると、グロメットの大径部の外周面の厚肉部の外周面に貼着またはインサートモールドで一体成形した平滑材により摩擦係数が小さくなっているため、グロメットを車体の貫通穴の挿入する時、挿入抵抗が小さくなり、グロメットの引き抜きや押し込み力が小さくなる。
【００１４】
さらに、上記貫通穴内周面との接触位置から上記係止凹部に至る大径部外周面に厚肉部と薄肉部とが一体成形され、上記厚肉部と薄肉部とを周方向に交互に設けられいることが好ましい。
これら薄肉部と、薄肉としていない厚肉部との面積比率は約５０％ずつとすることが好ましい。
【００１５】
上記構成とすると、グロメットの大径部の外周面に設けた薄肉部は、グロメット挿入時に貫通孔の内周面に非接触となり、その分だけ摩擦係数も小さくなり、よって、引き抜きや押し込み力が小さくなる。
【発明の効果】
【００１６】
以上の説明から明らかなように、本発明のグロメットでは、大径部の端面から剛性のピンを小孔に押し込むものでは、グロメットの大径部を押し込みながら車体の貫通穴に挿入する時、剛性のピンの有る部分は変形しにくいから、係止凹部がつぶれて、貫通穴が係止凹部に係止しない問題を発生させない。
【００１７】
さらに、本発明のグロメットで上記ピンに円錐状の突起を設けたものでは、大径部の係止凹部が貫通穴に係止するまでは、引き抜きや押し込み力が除々に増加し、係合すると同時に、引き抜きや押し込み力が急激に減少するから、係止時の節度感を与えることができる。
【発明を実施するための最良の形態】
【００１８】
以下、本発明の実施の形態を図面を参照して詳細に説明する。
図１に示すように、ゴム製のグロメット７は、ワイヤハーネスＷ／Ｈを挿通させる小径部７ａと、係止凹部７ｄを外周に設けた大径部７ｂとを備えている。該大径部７ｂの外周面は、小径部７ａ側より大径部開口端側に向かって円錐形状に拡径しており、開口端側に隣接して上記係止凹部７ｄを設けている。
【００１９】
上記グロメット７を車体１の貫通穴２に挿通する時、貫通穴２の内周面に接触して弾力に抗して縮径される大径部７ｂの外周面には、図１（Ａ）（Ｄ）に示すように接触点より傾斜角度を変えて、係止凹部７ｄより小径側７ａにかけた範囲Ｓ（円錐状部７ｃを除く）に、等角度間隔（例えば、１５度置き…幅としては５〜１０ｍｍ程度）で、薄肉部７ｈ（上記の例では１２個）を形成し、該薄肉部７ｈは貫通孔２の内周面に接触しないようにしている。
【００２０】
該薄肉部７ｈの間の厚肉部７ｇの外面には、例えば塩化ビニールのような平滑材８（図１（Ａ）中でクロスハッチングで示す）を接着剤を介して貼着している。なお、貼着する代わりに、インサートモールドで一体成形してもよい。
【００２１】
なお、上記薄肉部７ｈを設けずに、厚肉部７ｇとしたままで、外周面に平滑材８を貼着あるいは一体成形してもよい。あるいは、薄肉部７ｈを形成しただけでも摩擦係数が少なくなるので、厚肉部７ｇの外面に平滑材を貼着あるいは一体成形しなくてもよい。
【００２２】
上記薄肉部７ｈの分布は図１（Ａ）に示す分布に限定されず、円形凹部を点在させても良いし、また、円周方向に螺旋状に連続させて形成してもよい。しかしながら、同一周方向に円環形状に薄肉部を設けると、係止凹部７ｄに近似して該薄肉部に貫通孔が当接した位置で係止されたと間違う恐れがあるため、円環形状とせずに周方向のいずれかの部分において厚肉部を残しておくことが必要である。
【００２３】
さらに、グロメット７には、図１（Ｂ）（Ｄ）に示すように、上記大径部７ｂの開口端面より、底部側にかけて、内周面より突出部７ｊを９０度間隔をあけて設け、各突出部７ｊに開口端側より小孔７ｉを穿設している。小孔７ｉの深さは、開口端より係止凹部７ｄの形成位置を越えて小径部７ａ側へと延在させている。なお、小孔７ｉを設けた突出部７ｊは所要の間隔、例えば、１８０度間隔をあけて設けてもよい。
【００２４】
該各小孔７ｉには、図２及び図４に示すように、大径部７ｂの端面の形状ａ[図１（Ｂ）参照]に合わせたフランジ部９ａを有する剛性を有する合成樹脂製のピン９をそれぞれ押し込んでいる。各小孔７ｉには係止凹部７ｄに隣接した小径側の位置に拡径部７ｋを設ける一方、各ピン９には、挿入状態において、小径側から係止凹部７ｄに向かって円錐状に拡径する突起９ｂを設け、該突起９ｂを拡径部７ｋに圧入している。
【００２５】
上記構成からなるグロメット７によれば、グロメット７を室内５側より小径部７ａを挿入して、車体１の貫通穴２の挿入する時、大径部７ｂの厚肉部７ｇが貫通穴２の内周面に接触すると、厚肉部７ｇは、平滑材８により摩擦係数が小さくなっているため、室外５側からの引き出す場合には引き抜き力を低減できる。一方、室内４側からの押し込む場合も、押し込み力を低減できる。
また、大径部７ｂの外周面には薄肉部７ｈが設けられているため、この薄肉部７ｈの分だけ摩擦係数が小さくなり、この点からも引き抜き力や押し込み力が小さくなる。
【００２６】
一方、グロメット７の大径部７ｂを室内４側から押し込む時は、剛性のピン９を大径部７ｂに挿入しているため、係止凹部７ｄがつぶれるように大径部７ｂの外周部が変形しにくいから、係止凹部７ｄに貫通穴２を確実に係止できる。また、ピン９の突起９ｂにより、大径部７ｂの係止凹部７ｄが貫通穴２に係合するまでは、押し込み力が除々に増加し、係合すると同時に、押し込み力が急激に減少する。これにより、係止凹部７ｄに貫通孔２が係止した節度感を与えることができる。
【図面の簡単な説明】
【００２７】
【図１】本発明のグロメットであり、（Ａ）は斜視図、（Ｂ）は正面図、（Ｃ）は背面図、（Ｄ）は断面図である。
【図２】ピンの斜視図である。
【図３】グロメットを車体の貫通穴に取り付けた状態を示す斜視図である。
【図４】グロメットの小孔とピンの取付部分を示す断面図である。
【図５】従来のグロメットであり、（Ａ）は車体に取り付ける状態を示す斜視図、（Ｂ）は取付状態を示す断面図である。
【図６】（Ａ）、（Ｂ）、（Ｃ）、（Ｄ）、（Ｅ）は従来のグロメットの問題を説明するための断面図である。
【符号の説明】
【００２８】
Ｗ／Ｈ  ワイヤハーネス
１      車体
２      貫通穴
７      グロメット
７ａ    小径部
７ｂ    大径部
７ｄ    外周凹部
７ｇ    厚肉部
７ｈ    薄肉部
７ｉ    小孔
８      平滑材
９      ピン
９ｂ    突起
【図１】
2005143292.tif 000003
【図２】
2005143292.tif 000004
【図３】
2005143292.tif 000005
【図４】
2005143292.tif 000006
【図５】
2005143292.tif 000007
【図６】
2005143292.tif 000008